(57)【要約】【課題】表示画面サイズの大きいプラズマディスプレイパネルであっても、良好な品質で画像表示させる。【解決手段】１フィールド期間が初期化期間、書込み期間および維持期間を有する複数のサブフィールドから構成され、複数のサブフィールドの少なくとも１つのサブフィールドの初期化期間において、走査電極に傾斜波形電圧を印加して初期化放電を行う初期化期間部と、走査電極に複数の矩形波形を印加した後、下り傾斜波形電圧を印加する異常電荷消去部とを設けた。【選択図】図４
2008083137.tif 000002
【特許請求の範囲】
【請求項１】
走査電極および維持電極とデータ電極との交差部に放電セルを形成してなるプラズマディスプレイパネルの駆動方法であって、
１フィールド期間が初期化期間、書込み期間および維持期間を有する複数のサブフィールドから構成され、
前記複数のサブフィールドの少なくとも１つのサブフィールドの初期化期間において、
前記走査電極に傾斜波形電圧を印加して初期化放電を行う初期化期間部と、
前記走査電極に複数の矩形波形を印加した後、下り傾斜波形電圧を印加する異常電荷消去部とを設けたことを特徴とするプラズマディスプレイパネルの駆動方法。
【請求項２】
前記初期化期間部は、前記走査電極に上り傾斜波形電圧を印加して前記走査電極を陽極とし前記維持電極および前記データ電極を陰極とする第１の初期化放電を行う初期化期間前半部と、前記走査電極に下り傾斜波形電圧を印加して前記走査電極を陰極とし前記維持電極および前記データ電極を陽極とする第２の初期化放電を行う初期化期間後半部とを有することを特徴とする請求項１に記載のプラズマディスプレイパネルの駆動方法。
【発明の詳細な説明】
【技術分野】
【０００１】
本発明はプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極とデータ電極とが対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。また、サブフィールド法の中でも、階調表示に関係しない発光を極力減らして黒輝度の上昇を抑え、コントラスト比を向上した新規な駆動方法が特許文献１に開示されている。
【０００４】
以下にその駆動方法について簡単に説明する。各サブフィールドはそれぞれ初期化期間、書込み期間および維持期間を有する。また、初期化期間には、画像表示を行う全ての放電セルに対して初期化放電を行わせる全セル初期化動作、または直前のサブフィールドにおいて維持放電を行った放電セルに対して選択的に初期化放電を行わせる選択初期化動作のいずれかの動作を行う。
【０００５】
全セル初期化動作を行う初期化期間では、全ての放電セルで一斉に初期化放電を行い、それ以前の個々の放電セルに対する壁電荷の履歴を消すとともに、続く書込み動作のために必要な壁電荷を形成する。加えて、放電遅れを小さくし書込み放電を安定して発生させるためのプライミング（放電のための起爆剤＝励起粒子）を発生させるという働きをもつ。続く書込み期間では、走査電極に順次走査パルスを印加するとともに、データ電極には表示すべき画像信号に対応した書込みパルスを印加し、走査電極とデータ電極との間で選択的に書込み放電を起し、選択的な壁電荷形成を行う。そして維持期間では、走査電極と維持電極との間に輝度重みに応じた所定の回数の維持パルスを印加し、書込み放電による壁電荷形成を行った放電セルを選択的に放電させ発光させる。
【０００６】
このように、画像を正しく表示するためには書込み期間における選択的な書込み放電を確実に行うことが重要であるが、そのためには書込み動作のための準備となる初期化動作を確実に行うことが重要となる。
【特許文献１】特開２０００−２４２２２４号公報
【発明の開示】
【発明が解決しようとする課題】
【０００７】
全セル初期化期間においては、走査電極を陽極とし維持電極およびデータ電極を陰極とする初期化放電を発生させる必要があるが、データ電極側には電子放出係数の小さい蛍光体が塗布されているため、データ電極を陰極とする放電の放電遅れが大きくなり、初期化放電が不安定となることがあった。そして初期化放電が不安定になると、続く書込み放電、維持放電も不安定となり、発光すべきでない放電セルが発光する等、画像表示品質が低下する恐れがあった。
【０００８】
また、近年は大画面表示装置の要望に応えるべく表示画面サイズの大きいパネルが開発されているが、このようなパネルでは、画面全体で均一な放電を発生させるために、パネルに印加する駆動電圧が高くなる傾向がある。そして、駆動電圧を高くすると放電が発生しやすくなり、わずかな壁電荷の異常を生じた放電セルが画像信号に関係なく維持放電を発生し、画像表示品質を低下させる恐れがあった。
【０００９】
本発明は、これらの課題に鑑みなされたものであり、表示画面サイズの大きいパネルであっても、良好な品質で画像表示させることができるパネルの駆動方法を提供することを目的とする。
【課題を解決するための手段】
【００１０】
本発明は、走査電極および維持電極とデータ電極との交差部に放電セルを形成してなるパネルの駆動方法であって、１フィールド期間が初期化期間、書込み期間および維持期間を有する複数のサブフィールドから構成され、複数のサブフィールドの少なくとも１つのサブフィールドの初期化期間において、走査電極に傾斜波形電圧を印加して初期化放電を行う初期化期間部と、走査電極に複数の矩形波形を印加した後、下り傾斜波形電圧を印加する異常電荷消去部とを設けたことを特徴とする。この方法により、表示画面サイズの大きいパネルであっても、良好な品質で画像表示されることができるパネルの駆動方法を提供することができる。
【００１１】
また本発明の初期化期間部は、走査電極に上り傾斜波形電圧を印加して走査電極を陽極とし維持電極およびデータ電極を陰極とする第１の初期化放電を行う初期化期間前半部と、走査電極に下り傾斜波形電圧を印加して走査電極を陰極とし維持電極およびデータ電極を陽極とする第２の初期化放電を行う初期化期間後半部とを有してもよい。この方法により、黒輝度の上昇を抑えてコントラスト比を向上することができる。
【発明の効果】
【００１２】
本発明によれば、表示画面サイズの大きいパネルであっても、良好な品質で画像表示させることができるパネルの駆動方法を提供することができる。
【発明を実施するための最良の形態】
【００１３】
以下、本発明の一実施の形態におけるパネルの駆動方法について、図面を用いて説明する。
【００１４】
（実施の形態）
図１は本発明の実施の形態に用いるパネルの要部を示す斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。保護層７としては安定した放電を発生させるために二次電子放出係数が大きくかつ耐スパッタ性の高い材料が望ましく、本発明の実施の形態においてはＭｇＯ薄膜が用いられている。背面基板３上には絶縁体層８で覆われた複数のデータ電極９が設けられ、データ電極９の間の絶縁体層８上に格子状の隔壁１０が設けられている。また、絶縁体層８の表面および隔壁１０の側面に蛍光体層１１が設けられている。そして、走査電極４および維持電極５とデータ電極９とが交差する方向に前面基板２と背面基板３とを対向配置しており、その間に形成される放電空間には、放電ガスとして、例えばネオンとキセノンの混合ガスが封入されている。
【００１５】
図２は本発明の実施の形態におけるパネルの電極配列図である。行方向に長いｎ本の走査電極ＳＣＮ１〜ＳＣＮｎ（図１の走査電極４）およびｎ本の維持電極ＳＵＳ１〜ＳＵＳｎ（図１の維持電極５）が交互に配列され、列方向に長いｍ本のデータ電極Ｄ１〜Ｄｍ（図１のデータ電極９）が配列されている。そして、１対の走査電極ＳＣＮｉおよび維持電極ＳＵＳｉ（ｉ＝１〜ｎ）と１つのデータ電極Ｄｊ（ｊ＝１〜ｍ）との交差部に放電セルが形成され、放電セルは放電空間内にｍ×ｎ個形成されている。
【００１６】
図３は本発明の実施の形態におけるパネルの駆動方法を使用するプラズマディスプレイ装置の構成図である。このプラズマディスプレイ装置は、パネル１、データ電極駆動回路１２、走査電極駆動回路１３、維持電極駆動回路１４、タイミング発生回路１５、ＡＤ（アナログ・デジタル）変換器１８、走査数変換部１９、サブフィールド変換部２０および電源回路（図示せず）を備えている。
【００１７】
図３において、画像信号ｓｉｇはＡＤ変換器１８に入力される。また、水平同期信号Ｈおよび垂直同期信号Ｖはタイミング発生回路１５、ＡＤ変換器１８、走査数変換部１９、サブフィールド変換部２０に入力される。ＡＤ変換器１８は、画像信号ｓｉｇをデジタル信号の画像データに変換し、その画像データを走査数変換部１９に出力する。走査数変換部１９は、画像データをパネル１の画素数に応じた画像データに変換し、サブフィールド変換部２０に出力する。サブフィールド変換部２０は、各画素の画像データを複数のサブフィールドに対応する複数のビットに分割し、サブフィールド毎の画像データをデータ電極駆動回路１２に出力する。データ電極駆動回路１２は、サブフィールド毎の画像データを各データ電極Ｄ１〜Ｄｍに対応する信号に変換し各データ電極Ｄ１〜Ｄｍを駆動する。
【００１８】
タイミング発生回路１５は、水平同期信号Ｈおよび垂直同期信号Ｖをもとにしてタイミング信号を発生し、各々走査電極駆動回路１３および維持電極駆動回路１４に出力する。走査電極駆動回路１３は、タイミング信号に基づいて走査電極ＳＣＮ１〜ＳＣＮｎに駆動波形を供給し、維持電極駆動回路１４は、タイミング信号に基づいて維持電極ＳＵＳ１〜ＳＵＳｎに駆動波形を供給する。
【００１９】
つぎに、パネルを駆動するための駆動波形とその動作について説明する。本発明の実施の形態においては、１フィールド期間が初期化期間、書込み期間および維持期間を有する１０のサブフィールド（第１ＳＦ、第２ＳＦ、・・・、第１０ＳＦ）から構成されているものとして説明する。
【００２０】
図４は本発明の実施の形態におけるパネルの各電極に印加する駆動波形図であり、全セル初期化動作を行う初期化期間を有するサブフィールド（以下、「全セル初期化サブフィールド」と略記する）と選択初期化動作を行う初期化期間を有するサブフィールド（以下、「選択初期化サブフィールド」と略記する）に対する駆動波形図である。図４は説明のため第１ＳＦを全セル初期化サブフィールド、第２ＳＦを選択初期化サブフィールドとして示している。
【００２１】
まず、全セル初期化サブフィールドの駆動波形とその動作について説明する。全セル初期化期間を以下のように、初期化期間部と異常電荷消去部との２つの期間に分け、さらに初期化期間部を初期化期間前半部と初期化期間後半部とに分けて説明する。
【００２２】
初期化期間前半部では、維持電極ＳＵＳ１〜ＳＵＳｎおよびデータ電極Ｄ１〜Ｄｍを０（Ｖ）に保持し、走査電極ＳＣＮ１〜ＳＣＮｎに対して放電開始電圧以下となる電圧Ｖｐ（Ｖ）から放電開始電圧を超える電圧Ｖｒ（Ｖ）に向かって緩やかに上昇する上り傾斜波形電圧を印加する。すると、走査電極ＳＣＮ１〜ＳＣＮｎを陽極とし維持電極ＳＵＳ１〜ＳＵＳｎおよびデータ電極Ｄ１〜Ｄｍを陰極とする微弱な第１の初期化放電が発生する。こうして、全ての放電セルにおいて１回目の微弱な初期化放電を発生し、走査電極ＳＣＮ１〜ＳＣＮｎ上に負の壁電圧を蓄えるとともに維持電極ＳＵＳ１〜ＳＵＳｎ上およびデータ電極Ｄ１〜Ｄｍ上に正の壁電圧を蓄える。ここで、電極上の壁電圧とは、電極を覆う誘電体層上、蛍光体層上、保護層上等に蓄積した壁電荷により生じる電圧をあらわす。
【００２３】
初期化期間後半部では、維持電極ＳＵＳ１〜ＳＵＳｎを正の電圧Ｖｈ（Ｖ）に保ち、走査電極ＳＣＮ１〜ＳＣＮｎに電圧Ｖｇ（Ｖ）から電圧Ｖａ（Ｖ）に向かって緩やかに下降する下り傾斜波形電圧を印加する。すると、全ての放電セルにおいて、走査電極ＳＣＮ１〜ＳＣＮｎを陰極とし維持電極ＳＵＳ１〜ＳＵＳｎおよびデータ電極Ｄ１〜Ｄｍを陽極とする第２の微弱な初期化放電を起す。そして、走査電極ＳＣＮ１〜ＳＣＮｎ上の壁電圧および維持電極ＳＵＳ１〜ＳＵＳｎ上の壁電圧が弱められ、データ電極Ｄ１〜Ｄｍ上の壁電圧も書込み動作に適した値に調整される。このように、全セル初期化サブフィールドの初期化動作は全ての放電セルにおいて初期化放電させる全セル初期化動作である。なお、初期化放電は微弱であるので、初期化放電にともなう輝度は低く、黒輝度の上昇を抑えてコントラスト比を向上することができる。
【００２４】
初期化期間の異常電荷消去部では、再び維持電極ＳＵＳ１〜ＳＵＳｎを０（Ｖ）に戻す。そして、走査電極ＳＣＮ１〜ＳＣＮｎには第１の矩形波形として放電開始電圧に満たない正の電圧Ｖｍ（Ｖ）を印加した後、第２の矩形波形として負の電圧Ｖａ（Ｖ）を印加し、さらに第３の矩形波形として正の電圧Ｖｍ（Ｖ）を印加し、その後、電圧Ｖａ（Ｖ）に向かって緩やかに降下する傾斜波形電圧を印加する。この間、安定した初期化放電を行った放電セルにおいては放電は発生せず、壁電圧も初期化期間後半部の状態を保持する。しかしながら、走査電極ＳＣＮｉ上に正の過剰な壁電圧が蓄積している放電セルに対しては、走査電極ＳＣＮ１〜ＳＣＮｎに第１の矩形波形として電圧Ｖｍ（Ｖ）印加すると放電開始電圧を超えるので放電が発生し走査電極ＳＣＮｉ上の壁電圧が反転する。そして第２の矩形波形を印加すると再び放電が発生して壁電圧が反転し、その後、さらに第３の矩形波形を印加すると３回目の放電が発生する。そしてこれら一連の放電によって走査電極ＳＣＮ１〜ＳＣＮｎ上に負の壁電圧が蓄積するだけでなく、維持電極ＳＵＳ１〜ＳＵＳｎ上およびデータ電極Ｄ１〜Ｄｍ上にも正の壁電圧が蓄積される。そして緩やかに降下する傾斜波形電圧により走査電極ＳＣＮ１〜ＳＣＮｎ上の壁電圧および維持電極ＳＵＳ１〜ＳＵＳｎ上の壁電圧が弱められ、データ電極Ｄ１〜Ｄｍ上の壁電圧も書込み動作に適した値に調整される。このようにして、走査電極ＳＣＮ１〜ＳＣＮｎに複数の矩形波形を印加した後、下り傾斜波形電圧を印加して、過剰な壁電圧を蓄積している放電セルに対して複数回の放電を発生させ過剰な壁電圧を解消する。そしてこれらの放電セルの壁電圧は書込み動作に適した壁電圧に調整されるので、続く書込み期間以降、正常に動作させることができる。なお、本実施の形態においては第１の矩形波形、第３の矩形波形のパルス幅を６μｓ程度に設定し、第２の矩形波形のパルス幅を３μｓ程度に設定したが、これらの値はパネルの特性等により最適な値に設定することが望ましい。
【００２５】
続く書込み期間では、走査電極ＳＣＮ１〜ＳＣＮｎを一旦Ｖｓ（Ｖ）に保持する。つぎに、データ電極Ｄ１〜Ｄｍのうち、１行目に表示すべき放電セルのデータ電極Ｄｋ（ｋ＝１〜ｍ）に正の書込みパルス電圧Ｖｗ（Ｖ）を印加するとともに、１行目の走査電極ＳＣＮ１に走査パルス電圧Ｖｂ（Ｖ）を印加する。このとき、データ電極Ｄｋと走査電極ＳＣＮ１との交差部の電圧は、外部印加電圧（Ｖｗ−Ｖｂ）（Ｖ）にデータ電極Ｄｋ上の壁電圧および走査電極ＳＣＮ１上の壁電圧の大きさが加算されたものとなり、放電開始電圧を超える。そして、データ電極Ｄｋと走査電極ＳＣＮ１との間および維持電極ＳＵＳ１と走査電極ＳＣＮ１との間に書込み放電が起り、この放電セルの走査電極ＳＣＮ１上に正の壁電圧が蓄積され、維持電極ＳＵＳ１上に負の壁電圧が蓄積され、データ電極Ｄｋ上にも負の壁電圧が蓄積される。このようにして、１行目に表示すべき放電セルで書込み放電を起して各電極上に壁電圧を蓄積する書込み動作が行われる。一方、正の書込みパルス電圧Ｖｗ（Ｖ）を印加しなかったデータ電極と走査電極ＳＣＮ１との交差部の電圧は放電開始電圧を超えないので、書込み放電は発生しない。また、初期化期間の異常電荷消去部で放電を起した放電セルはデータ電極上の壁電圧も消去されているため書込み放電が発生しない。以上の書込み動作をｎ行目の放電セルに至るまで順次行い、書込み期間が終了する。
【００２６】
続く維持期間では、まず、維持電極ＳＵＳ１〜ＳＵＳｎを０（Ｖ）に戻し、走査電極ＳＣＮ１〜ＳＣＮｎに正の維持パルス電圧Ｖｍ（Ｖ）を印加する。このとき、書込み放電を起した放電セルにおいては、走査電極ＳＣＮｉ上と維持電極ＳＵＳｉ上との間の電圧は、維持パルス電圧Ｖｍ（Ｖ）に走査電極ＳＣＮｉ上および維持電極ＳＵＳｉ上の壁電圧の大きさが加算されたものとなり放電開始電圧を超える。そして、走査電極ＳＣＮｉと維持電極ＳＵＳｉとの間に維持放電が起り、走査電極ＳＣＮｉ上に負の壁電圧が蓄積され、維持電極ＳＵＳｉ上に正の壁電圧が蓄積される。このときデータ電極Ｄｋ上にも正の壁電圧が蓄積される。書込み期間において書込み放電が起なかった放電セルでは維持放電は発生せず、初期化期間の終了時における壁電圧状態が保持される。続いて、走査電極ＳＣＮ１〜ＳＣＮｎを０（Ｖ）に戻し、維持電極ＳＵＳ１〜ＳＵＳｎに正の維持パルス電圧Ｖｍ（Ｖ）を印加する。すると、維持放電を起した放電セルでは、維持電極ＳＵＳｉ上と走査電極ＳＣＮｉ上との間の電圧は放電開始電圧を超えるので、再び維持電極ＳＵＳｉと走査電極ＳＣＮｉとの間に維持放電が起り、維持電極ＳＵＳｉ上に負の壁電圧が蓄積され走査電極ＳＣＮｉ上に正の壁電圧が蓄積される。以降同様に、走査電極ＳＣＮ１〜ＳＣＮｎと維持電極ＳＵＳ１〜ＳＵＳｎとに交互に維持パルスを印加することにより、書込み期間において書込み放電を起した放電セルでは維持放電が継続して行われる。なお、維持期間の最後には走査電極ＳＣＮ１〜ＳＣＮｎと維持電極ＳＵＳ１〜ＳＵＳｎとの間に、いわゆる細幅パルスを印加して、データ電極Ｄｋ上の正の壁電荷を残したまま、走査電極ＳＣＮ１〜ＳＣＮｎおよび維持電極ＳＵＳ１〜ＳＵＳｎ上の壁電圧を消去している。こうして維持期間における維持動作が終了する。
【００２７】
続いて選択初期化サブフィールドの駆動波形とその動作について説明する。
【００２８】
初期化期間では、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎにＶｑ（Ｖ）からＶａ（Ｖ）に向かって緩やかに下降する下り傾斜波形電圧を印加する。すると前のサブフィールドの維持期間で維持放電を行った放電セルでは、微弱な初期化放電が発生し、走査電極ＳＣＮｉ上および維持電極ＳＵＳｉ上の壁電圧が弱められ、データ電極Ｄｋ上の壁電圧も書込み動作に適した値に調整される。一方、前のサブフィールドで書込み放電および維持放電を行わなかった放電セルについては放電することはなく、前のサブフィールドの初期化期間終了時における壁電荷状態がそのまま保たれる。このように、選択初期化サブフィールドの初期化動作は、前のサブフィールドで維持放電を行った放電セルにおいて初期化放電させる選択初期化動作である。
【００２９】
書込み期間および維持期間については全セル初期化サブフィールドの書込み期間および維持期間と同様であるため説明を省略する。このように、全セル初期化サブフィールドと選択初期化サブフィールドとを組み合わせることにより、階調表示に関係しない発光を極力減らして黒輝度の上昇を抑え、コントラスト比を向上させることができる。
【００３０】
ここで、全セル初期化期間に異常電荷消去部を設けた理由について説明する。初期化期間の前半部において、走査電極ＳＣＮ１〜ＳＣＮｎに緩やかに上昇する上り傾斜波形電圧を印加したとき、通常は走査電極ＳＣＮ１〜ＳＣＮｎを陽極とし維持電極ＳＵＳ１〜ＳＵＳｎを陰極とする微弱な初期化放電が発生する。しかし、プライミングの不足等により初期化放電が大きく遅れることがある。すると、放電発生時には放電開始電圧を大きく超えているため微弱な放電とはならず強い放電が発生してしまう。あるいはデータ電極Ｄ１〜Ｄｍを陰極とする強い放電が先行して発生してしまう。そして走査電極ＳＣＮ１〜ＳＣＮｎ上に過剰な負の壁電荷を蓄積してしまう。すると、初期化期間の後半部において、走査電極ＳＣＮ１〜ＳＣＮｎに下り傾斜波形電圧を印加中に再び強い放電を発生し、そして走査電極ＳＣＮ１〜ＳＣＮｎ上に過剰な正の壁電荷を蓄積することになる。
【００３１】
あるいは、全セル初期化サブフィールドの前のサブフィールドの書込み期間において発生した書込み放電が弱く、走査電極、維持電極あるいはデータ電極上に蓄積されるべき壁電圧が不足し、維持期間において維持放電を起すことができなかった放電セルには異常な壁電荷が残留することになる。また、書込み放電自体は正常に行われた場合であっても何らかの理由で走査電極、維持電極あるいはデータ電極上に蓄積した壁電圧が減少した場合も同様に異常な壁電荷が残留する場合がある。そして、このような異常な壁電荷による過剰な壁電圧を解消することなく維持パルスを印加すると、維持期間において維持放電を起すことになる。特に、表示画面サイズが大きく、画面全体で均一な放電を発生させるためにパネルに印加する維持パルス電圧を高く設定したパネルではこの傾向が強くなる。
【００３２】
しかしながら本実施の形態においては、全セル初期化期間に異常電荷消去部を設け、走査電極ＳＣＮ１〜ＳＣＮｎに複数の矩形波形を順次印加して、過剰な壁電圧を蓄積している放電セルで複数回の強い放電を発生させる。そしてその後、緩やかに降下する傾斜波形電圧を印加して、走査電極ＳＣＮ１〜ＳＣＮｎ上の壁電圧および維持電極ＳＵＳ１〜ＳＵＳｎ上の壁電圧を弱め、データ電極Ｄ１〜Ｄｍ上の壁電圧も書込み動作に適した値に調整している。そのため、何らかの理由で異常な壁電荷の蓄積した放電セルが生じた場合であっても、続く書込み期間以降、正常に動作させることができる。
【００３３】
また、全セル初期化期間の異常電荷消去部において、走査電極ＳＣＮ１〜ＳＣＮｎに緩やかに降下する傾斜波形電圧を印加する前に複数の矩形波形を印加する理由はつぎのとおりである。一般に、放電セルに蓄積される異常な壁電荷による壁電圧の大きさは様々な値をとると考えられる。ところがこのような様々な値の壁電圧を持つ放電セルに複数の矩形波形を印加して放電を繰り返し発生させると、２つの壁電圧のいずれかに収束する特性がある。図５は様々な壁電荷を持つ放電セルに複数のパルスを印加した場合の放電の様子を模式的に示す図である。
【００３４】
図５（ａ）は非常に大きな壁電圧を持つ放電セルの場合であり、１回目の放電は矩形波形電圧に大きな壁電圧が加算されるので非常に強い放電が発生する。この放電で形成される壁電圧は初期の壁電圧ほど大きくないので、２回目の放電は１回目の放電より弱くなるものの、依然強い放電である。２回目の放電で形成される壁電圧は１回目の放電で形成される壁電圧よりもわずかに小さくなるもののほぼ同じ大きさであるので、３回目の放電は２回目の放電よりもわずかに弱くなるもののほぼ同じ大きさの放電である。以下、同様に繰り返し、ある一定の強さの放電に収束し、形成される壁電圧の値もある一定の値に収束する。
【００３５】
図５（ｂ）は、もう少し小さな壁電荷を持つ放電セルの場合である。１回目の放電は、壁電圧がそれほど大きくないので発生する放電もそれほど強くない。しかしこの放電で形成される壁電圧が初期の壁電圧よりも大きい場合には、２回目の放電は１回目の放電より強くなる。２回目の放電で形成される壁電圧は１回目の放電で形成される壁電圧よりもわずかに大きくなるので、３回目の放電は２回目の放電よりもわずかに強くなる。以下、同様に繰り返し、ある一定の強さの放電にまで成長し、蓄積される壁電圧の大きさも一定の値に収束する。このときの収束する壁電荷の大きさは、図５（ａ）に示した値と同じである。
【００３６】
図５（ｃ）は、さらに小さな壁電荷を持つ放電セルの場合である。１回目の放電は、壁電圧が小さいので発生する放電も弱い。するとこの放電で形成される壁電圧も小さくなるが、この値が初期の壁電荷よりも小さい場合には、２回目の放電は１回目の放電よりさらに弱くなる。２回目の放電で形成される壁電圧は１回目の放電で形成される壁電圧よりもさらに小さいので、３回目の放電は２回目の放電よりもさらに弱いか、放電が発生しなくなる。この場合には放電は持続せず、壁電荷は消去される。
【００３７】
上述したように、放電セルに蓄積される異常な壁電荷による壁電圧の大きさは様々な値をとると考えられる。そして様々な値をとるこれらの壁電圧を一斉に解消することは難しい。しかしながら本実施の形態においては、全セル初期化期間に異常電荷消去部を設け、走査電極ＳＣＮ１〜ＳＣＮｎに複数の矩形波形を順次印加することにより、異常な壁電荷による過剰な壁電圧を持つ放電セルで複数回の強い放電を発生させて、過剰な壁電圧を消去するかまたは一定の値に収束させる。そしてその後、緩やかに降下する傾斜波形電圧を印加して、一定の値に壁電圧を収束させた放電セルに対しては、走査電極ＳＣＮ１〜ＳＣＮｎ上の壁電圧および維持電極ＳＵＳ１〜ＳＵＳｎ上の壁電圧を弱め、データ電極Ｄ１〜Ｄｍ上の壁電圧も書込み動作に適した値に調整することができる。
【００３８】
なお、上述の説明では、全セル初期化期間の異常電荷消去部において走査電極ＳＣＮ１〜ＳＣＮｎに印加する矩形波形の数を３としたが、本発明は矩形波形の数が複数であればよく、例えば矩形波形の数を５と設定してもよい。
【００３９】
また、本実施の形態においては１フィールド期間は１０のサブフィールドから構成され、第１ＳＦが全セル初期化サブフィールド、第２ＳＦを選択初期化サブフィールドとして説明したが、サブフィールド数は上記の値に限定されるものではない。さらにサブフィールド構成も上記に限定されるものではなく、１フィールド期間を構成する複数のサブフィールドのそれぞれは、全セル初期化サブフィールド、選択初期化サブフィールドのいずれに設定してもよい。その際には、本実施の形態において説明したように、全セル初期化サブフィールドの初期化期間には異常電荷消去部を設けることが望ましい。
【００４０】
また、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００４１】
本発明のパネルの駆動方法は、表示画面サイズの大きいパネルであっても、良好な品質で画像表示させることができるので、大画面の画像表示装置に用いるプラズマディスプレイパネル等として有用である。
【図面の簡単な説明】
【００４２】
【図１】本発明の実施の形態に用いるパネルの要部を示す斜視図
【図２】本発明の実施の形態におけるパネルの電極配列図
【図３】同パネルの駆動方法を用いたプラズマディスプレイ装置の構成図
【図４】同パネルの各電極に印加する駆動波形図
【図５】様々な壁電荷を持つ放電セルに複数のパルスを印加した場合の放電の様子を模式的に示す図
【符号の説明】
【００４３】
１    パネル
２    前面基板
３    背面基板
４    走査電極
５    維持電極
９    データ電極
１２    データ電極駆動回路
１３    走査電極駆動回路
１４    維持電極駆動回路
１５    タイミング発生回路
１８    ＡＤ変換器
１９    走査数変換部
２０    サブフィールド変換部
【図１】
2008083137.tif 000003
【図２】
2008083137.tif 000004
【図３】
2008083137.tif 000005
【図４】
2008083137.tif 000006
【図５】
2008083137.tif 000007